【事件の表示】
　平成　３年特許願第３５１０４７号「インクタンク・ヘッド交換型インクジェット記録装置」拒絶査定に対する審判事件［平成　５年　６月２９日出願公開、特開平　５−１６２３０２］について、次のとおり審決する。
【結　論】
　本件審判の請求は、成り立たない。
【理　由】
１．手続の経緯・本願発明
　本願は、平成３年１２月１１日の出願であって、その請求項１乃至４に係る発明は、平成１２年８月１７日付手続補正書及び平成１３年６月４日付手続補正書により補正された明細書及び図面の記載からみて、特許請求の範囲第１乃至４項に記載されたものと認められるところ、そのうち、請求項１に係る発明（以下、本願発明という。）は、次のとおりのものと認める。
「互いに分離・取り付けが可能なインクジェット記録ヘッドと該インクジェット記録ヘッドへ供給されるインクを貯留するインクタンクとを搭載部に交換可能に搭載するインクタンク・ヘッド交換型インクジェット記録装置において、
　前記搭載部は、前記インクジェット記録ヘッドの電気接点との電気的接続を行うための電極と、前記インクジェット記録ヘッドを当該搭載部に固定するための固定部材と、を具備し、
　当該固定部材による前記インクジェット記録ヘッドの前記搭載部への固定は、前記インクジェット記録ヘッドの電気接点を前記搭載部の電極へ押しつけるとともに、前記インクジェット記録ヘッドを前記搭載部に固定した状態で当該インクジェット記録ヘッドに対する前記インクタンクの装着又は取り外しを行い得るものであることを特徴とするインクタンク・ヘッド交換型インクジェット記録装置。」
　　　　
２．引用例
　これに対して、審査過程で平成１２年６月９日付で通知された拒絶の理由に引用された、本願の出願日前の平成２年２月８日に頒布された特開平２−３９９４５号公報（以下、引用例という。）には、以下の事項が記載されている。
　ア．「インクジェット記録装置では一般に交換可能なインク収容のカートリッジ、すなわちインクカートリッジを具え、インクカートリッジから供給管を介して記録ヘッドにインクを供給するようにしている」（２頁左上欄１４〜１９行）
　イ．「米国特許第４６３３２７４号に開示されている記録ヘッドユニットは第７図および第８図に示すようにヘッドユニット２０１に対してインクを収納したインクカートリッジ２０２を交換自在としたもので、２０３はヘッドエレメント、２０４はインク吐出部、２０５は電極、２０６はインク供給管、２０７はコネクタ、２０８はインクカートリッジを着脱自在に保持し、ヘッドエレメント２０３を交換可能に装着する支持部材である。・・・しかしながら、上述した従来のインクカートリッジでは、支持部材２０８を介して着脱自在に構成されているので、インクが無くなればインクカートリッジ２０２の交換を行えばよい」（２頁左下欄１９行〜３頁左上欄１行）
　ウ．「第１図は本発明を適用したインクジェット記録装置の構成を示す。ここで、１は記録ヘッド部２と共にキャリッジ３に搭載されたインクカートリッジ、・・・１２は記録ヘッド部２に記録信号を供給するための信号線を有するフレキシブルケーブルである。・・・インクカートリッジ１と記録ヘッド部２とは第２図に示すように重ね合わせた状態で１つのブロック形態に結合された上、キャリッジ３の突出した位置決め壁３Ａに記録ヘッド部２の全面（前面の誤記と認める。）を当接された状態で位置決めされ、ロックレバー１３によって固定される。２Ａは記録ヘッド部２の上面に穿設された係合孔、・・・一方のインクカートリッジ１は上記の係合孔２Ａに係合可能な係止爪１Ａ、・・・を有する。なお、係合孔２Ａの形状および係止爪１Ａの形状は互いに嵌合し易く、しかも外れ難いような形状とすることが望ましい。また、キャリッジ３の方には第３図に示すように記録ヘッド部２の段付き部に係合して、記録ヘッド部２をキャリッジ３に固定させるための弾性を有するストッパ部材３Ｂが両側から立設してある。このように構成した記録ヘッド部２とインクカートリッジ１との組合せでは、記録ヘッド部２にインクカートリッジ１を装着した状態で記録ヘッド部２を位置決めした上、ストッパ部材３Ｂによって、保持させ、更にロックレバー１３をインクカートリッジ１の上方からかけわたすことによって全体をキャリッジ３上に固定装着することができる。またここで、インクカートリッジ１の記録ヘッド部２への取付は記録ヘッド部２をキャリッジ３に保持させているストッパ部材３Ｂによる保持力より強い結合力が保たれるようにしてあるので、取り外す場合はロックレバー１３による施錠状態を解除するだけで容易にインクカートリッジ１を記録ヘッド部２と共に取外すことができ、従って、双方を取り外した上で例えばインクカートリッジ１を交換するにせよ記録ヘッド部２を交換するにせよこれらを容易に分離することができる。また、どのようなことがあってもキャリッジ３から記録ヘッド部２のみが外されるようなことはない。」（３頁右上欄１５行〜４頁左上欄１０行）
　エ．インクジェット記録装置の構成を示す斜視図（第１図）
　オ．記録ヘッド部２の上にインクカートリッジ１重ね合わせた状態で、キャリッジ３上に搭載され、ストッパ部材３およびロックレバー１３によって装着された状態を示す断面図および正面図（第２図および第３図）
　以上の記載を含む明細書および図面の記載全体を対比のためにまとめると、上記引用例には、以下の発明が記載されている。
　「互いに取り外し・装着が可能な記録ヘッド部２と該記録ヘッド部２へ供給されるインクを収容するインクカートリッジ１とを、記録ヘッド部２の上にインクカートリッジ１重ね合わせた状態で、キャリッジ３に交換可能に搭載するインクジェット記録装置において、
　前記キャリッジ３は、記録ヘッド部２に記録信号を供給するための信号線を有するフレキシブルケーブル１２に接続され、前記記録ヘッド部２を当該キャリッジ３に保持するためのストッパ部材３Ｂを具備するインクジェット記録装置。」
　　
３．対比・判断
　本願発明（前者）と上記引用例に記載された発明（後者）を対比する。
　ア．後者の「記録ヘッド部２」、「インクカートリッジ１」、「キャリッジ３」および「インクジェット記録装置」は、それぞれ、前者の「インクジェット記録ヘッド」、「インクタンク」、「搭載部」および「インクジェット記録装置」に相当し、したがって、また、後者の「インクジェット記録装置」は、「インクタンク・ヘッド交換型インクジェット記録装置」ということができる。
　イ．後者のキャリッジ３が具備するストッパ部材３Ｂによる保持についてみるに、
　引用例の明細書には、「インクカートリッジ１の記録ヘッド部２への取付は記録ヘッド部２をキャリッジ３に保持させているストッパ部材３Ｂによる保持力より強い結合力が保たれるようにしてあるので、取り外す場合はロックレバー１３による施錠状態を解除するだけで容易にインクカートリッジ１を記録ヘッド部２と共に取外すことができ」と記載されている（上記記載事項ウ参照。）が、該記載は、インクカートリッジ１の記録ヘッド部２に対する装着又は取り外しが、記録ヘッド部２がキャリッジに保持された状態では不可能であることをいっているのでなく、むしろ、上記引用例の「記録ヘッド部２をキャリッジ３に保持させているストッパ部材」、「係合孔２Ａの形状および係止爪１Ａの形状は互いに嵌合し易く、しかも外れ難いような形状とすることが望ましい。」、「双方を取り外した上で例えばインクカートリッジ１を交換するにせよ記録ヘッド部２を交換するにせよこれらを容易に分離することができる。」の各記載（上記記載事項ウ参照。）および引用例の記録ヘッド部２の上にインクカートリッジ１重ね合わせた状態で、キャリッジ３上に搭載され、記録ヘッド部２のみに係合しているストッパ部材３Ｂおよびロックレバー１３によって装着された状態を示す断面図および正面図の記載（記載事項オ参照。）からみて、ストッパ部材３Ｂは記録ヘッド部２のみを保持する機能を有しており、インクカートリッジ１まで直接に保持するものでないことおよびインクカートリッジ１と記録ヘッド部２相互の分離が容易にできる程度の係止であることが明らかであるから、ロックレバー１３による施錠が解除された状態では、例えば、記録ヘッド部２のキャリッジ１へのストッパ部材３Ｂによる保持状態を、人手又は工具等により維持させた状態で、記録ヘッド部２に対するインクカートリッジ１の装着又は取り外しを行うことが可能であることも明らかである。
　ゆえに、後者の上記ストッパ部材３Ｂによる記録ヘッド部２のキャリッジ３への保持は、記録ヘッド部２をキャリッジ３に保持した状態で記録ヘッド部２に対するインクカートリッジ１の装着又は取外しを行い得るものであるといえる。
　また、当該保持は、その保持態様からみて、記録ヘッド部２のキャリッジ３への固定ともいえ、後者の「ストッパ部材３Ｂ」は前者の「固定部材」に相当している。
　なお、引用例には、記録ヘッド部を搭載部に取り付けた状態を特別に維持する操作をすることなく、インクカートリッジのみを装着又は取り外しすることが知られていていたことも記載されている（記載事項イ参照。）。
　以上のことから、両者は、
　「互いに分離・取り付けが可能なインクジェット記録ヘッドと該インクジェット記録ヘッドへ供給されるインクを貯留するインクタンクとを搭載部に交換可能に搭載するインクタンク・ヘッド交換型インクジェット記録装置において、
　前記搭載部は、前記インクジェット記録ヘッドを当該搭載部に固定するための固定部材を具備し、
　当該固定部材による前記インクジェット記録ヘッドの前記搭載部への固定は、前記インクジェット記録ヘッドを前記搭載部に固定した状態で当該インクジェット記録ヘッドに対する前記インクタンクの装着又は取り外しを行い得るものであるインクタンク・ヘッド交換型インクジェット記録装置。」
である点で一致し、次の点で相違する。
〔相違点〕
　前者が、搭載部がインクジェット記録ヘッドの電気接点との電気的接続を行うための電極を具備すると共に、固定部材によるインクジェット記録ヘッドの搭載部への固定が、前記インクジェット記録ヘッドの電気接点を前記搭載部の電極へ押しつけるものであるとしているのに対して、後者ではその点が定かでない点。
〔相違点の検討〕
　後者も、キャリッジ３（搭載部）に接続される、記録ヘッド部２（インクジェット記録ヘッド）に記録信号を供給するための信号線を有するフレキシブルケーブル１２を備えるものである（記載事項ウおよび記載事項エ参照。）から、キャリッジ３（搭載部）が記録ヘッド部２（インクジェット記録ヘッド）の電気接点との電気的接続を行うための電極を具備することは自明であり、記録ヘッド部２（インクジェット記録ヘッド）がキャリッジ３（搭載部）装着されて記録を行う際には、当然に、記録ヘッド２（インクジェト記録ヘッド）の電気接点とキャリッジ３（搭載部）の電極が接続されていることも明らかなことである。
　また、交換可能なインクジェット記録ヘッド又はインクジェット記録ヘッドとインクタンクを一体化したものを、キャリッジ等の搭載部に固定部材によって固定する際に、当該固定部材による固定が、前記インクジェットヘッドの電気接点をキャリッジ等の搭載部の電極へ押しつけるようにすることは、例えば、前記平成１２年６月９日付の拒絶理由で提示した特開平３−１０１９４２号公報、特開平２−１７８０５１号公報、特開昭６０−２０４３４３号公報、特開平２−９９３３３号公報などにみられるように周知技術である。
　してみると、後者において、上記周知技術を採用して、上記相違点の構成とすることは、当業者が容易に想起できることであり、その作用効果も格別のものでない。
　
４．むすび
　以上のとおりであるから、本願発明は、上記引用例に記載された発明及び周知技術に基づいて、当業者が容易に発明をすることができたものであるから、特許法第２９条第２項の規定により特許を受けることができない。
　よって、結論の取り審決する。